(57)【要約】【課題】外部に提供した個人情報をユーザ側で管理することができる処理装置、処理システム、表示方法及びプログラムを提供する。【解決手段】外部に提供されるユーザの個人情報を認識し、記憶部１７に記憶させる認識部２２と、検索ワードの入力を受け付け、記憶部１７に記憶されている個人情報の中から、検索ワードに基づく個人情報を検索する検索部２５と、検索部２５により検索された検索ワードに基づく個人情報を表示部１９に表示させる表示制御部３３と、を備える。【選択図】図１
2013246497.tif 000002
【特許請求の範囲】
【請求項１】
外部に提供されるユーザの個人情報を認識し、記憶部に記憶させる認識部と、
検索ワードの入力を受け付け、前記記憶部に記憶されている個人情報の中から、前記検索ワードに基づく個人情報を検索する検索部と、
前記検索部により検索された検索ワードに基づく個人情報を表示部に表示させる表示制御部と、
を備える処理装置。
【請求項２】
前記個人情報は、前記ユーザの個人情報を提供したサービスのサービス名及び当該サービスに提供した提供内容を対応付けたものであり、
前記検索部は、前記検索ワードとして前記サービス名の入力を受け付け、当該サービス名に対応する提供内容を検索する請求項１に記載の処理装置。
【請求項３】
前記個人情報は、前記ユーザの個人情報を提供したサービスのサービス名及び当該サービスに提供した提供内容を対応付けたものであり、
前記検索部は、前記検索ワードとして前記提供内容の入力を受け付け、当該提供内容に対応するサービス名を検索する請求項１に記載の処理装置。
【請求項４】
前記個人情報が公開されているか否かの確認を要求する確認要求部と、
前記確認要求部で要求された確認に基づいて、確認結果を取得する取得部と、
前記確認要求部で確認が要求された個人情報を含む情報に対し、前記取得部により取得された確認結果に応じたアップロードを行うアップロード部と、
を更に備える請求項１に記載の処理装置。
【請求項５】
外部に提供されるユーザの個人情報を認識し、記憶部に記憶させる認識部と、
検索ワードの入力を受け付け、前記記憶部に記憶されている個人情報の中から、前記検索ワードに基づく個人情報を検索する検索部と、
前記検索部により検索された検索ワードに基づく個人情報を表示部に表示させる表示制御部と、
を備える処理システム。
【請求項６】
認識部が、外部に提供されるユーザの個人情報を認識し、記憶部に記憶させる認識ステップと、
検索部が、検索ワードの入力を受け付け、前記記憶部に記憶されている個人情報の中から、前記検索ワードに基づく個人情報を検索する検索ステップと、
表示制御部が、前記検索ステップにより検索された検索ワードに基づく個人情報を表示部に表示させる表示制御ステップと、
を含む表示方法。
【請求項７】
外部に提供されるユーザの個人情報を認識し、記憶部に記憶させる認識ステップと、
検索ワードの入力を受け付け、前記記憶部に記憶されている個人情報の中から、前記検索ワードに基づく個人情報を検索する検索ステップと、
前記検索ステップにより検索された検索ワードに基づく個人情報を表示部に表示させる表示制御ステップと、
をコンピュータに実行させるためのプログラム。
【発明の詳細な説明】
【技術分野】
【０００１】
本発明は、処理装置、処理システム、表示方法及びプログラムに関する。
【背景技術】
【０００２】
従来から、インターネットショッピングやオンライントレードなどのように、インターネット等の電子ネットワークを介したサービスの提供が行われている。このようなサービスを利用するためには、通常、ユーザは、サービス提供元に個人情報を提供する必要がある。
【０００３】
ユーザから提供された個人情報はサービス提供元で管理されることになるが、近年では、個人情報の漏洩が大きな社会問題となっている。このため、例えば特許文献１には、個人情報のデータを個人情報の利用者のみが使用可能な形式のデータにしてサービス提供元に提供する技術が開示されている。これにより、サービス提供元において、個人情報の漏洩を防止したり、個人情報の漏洩元を特定したりすることが可能となる。
【発明の概要】
【発明が解決しようとする課題】
【０００４】
しかしながら、上述したような従来技術では、個人情報を提供した側、即ち、ユーザ側で自身が提供した個人情報を管理することができない。
【０００５】
本発明は、上記事情に鑑みてなされたものであり、外部に提供した個人情報をユーザ側で管理することができる処理装置、処理システム、表示方法及びプログラムを提供することを目的とする。
【課題を解決するための手段】
【０００６】
上述した課題を解決し、目的を達成するために、本発明の一態様にかかる処理装置は、外部に提供されるユーザの個人情報を認識し、記憶部に記憶させる認識部と、検索ワードの入力を受け付け、前記記憶部に記憶されている個人情報の中から、前記検索ワードに基づく個人情報を検索する検索部と、前記検索部により検索された検索ワードに基づく個人情報を表示部に表示させる表示制御部と、を備える。
【０００７】
また、本発明の別の態様にかかる処理システムは、外部に提供されるユーザの個人情報を認識し、記憶部に記憶させる認識部と、検索ワードの入力を受け付け、前記記憶部に記憶されている個人情報の中から、前記検索ワードに基づく個人情報を検索する検索部と、前記検索部により検索された検索ワードに基づく個人情報を表示部に表示させる表示制御部と、を備える。
【０００８】
また、本発明の別の態様にかかる表示方法は、認識部が、外部に提供されるユーザの個人情報を認識し、記憶部に記憶させる認識ステップと、検索部が、検索ワードの入力を受け付け、前記記憶部に記憶されている個人情報の中から、前記検索ワードに基づく個人情報を検索する検索ステップと、表示制御部が、前記検索ステップにより検索された検索ワードに基づく個人情報を表示部に表示させる表示制御ステップと、を含む。
【０００９】
また、本発明の別の態様にかかるプログラムは、外部に提供されるユーザの個人情報を認識し、記憶部に記憶させる認識ステップと、検索ワードの入力を受け付け、前記記憶部に記憶されている個人情報の中から、前記検索ワードに基づく個人情報を検索する検索ステップと、前記検索ステップにより検索された検索ワードに基づく個人情報を表示部に表示させる表示制御ステップと、をコンピュータに実行させるためのものである。
【発明の効果】
【００１０】
本発明によれば、外部に提供した個人情報をユーザ側で管理することができるという効果を奏する。
【図面の簡単な説明】
【００１１】
【図１】図１は、第１実施形態の処理システムの構成の一例を示すブロック図である。
【図２】図２は、第１実施形態の個人情報の一例を示す図である。
【図３】図３は、第１実施形態の表示画面の一例を示す図である。
【図４】図４は、第１実施形態のＮＡで実行される履歴処理の一例を示すフローチャートである。
【図５】図５は、第１実施形態のＮＡで実行される検索処理の一例を示すフローチャートである。
【図６】図６は、第２実施形態の処理システムの構成の一例を示すブロック図である。
【図７】図７は、秘匿処理が施されてアップロードされた写真の一例を示す図である。
【図８】図８は、秘匿処理が解除された写真の一例を示す図である。
【図９】図９は、本実施形態の処理システムで実行される処理の一例を示すフローチャートである。
【図１０】図１０は、本実施形態の処理システムで実行されるアップロードの一例を示すフローチャートである。
【図１１】図１１は、本実施形態の処理システムで実行されるアップロードの他の例を示すフローチャートである。
【発明を実施するための形態】
【００１２】
以下、添付図面を参照しながら、本発明にかかる処理装置、処理システム、表示方法及びプログラムの実施形態を詳細に説明する。
【００１３】
（第１実施形態）
まず、第１実施形態の処理システムの構成について説明する。
【００１４】
図１は、本実施形態の処理システム１の構成の一例を示すブロック図である。図１に示すように、処理システム１は、処理装置の一例としてのネットワークエージェント（以下、「ＮＡ」と称する）１０と、管理装置の一例としての管理サーバ１０１と、を備える。ＮＡ１０及び管理サーバ１０１は、インターネット１０７を介して接続されている。
【００１５】
管理サーバ１０１は、インターネット１０７を介してサービスを提供するウェブサイトなどを管理するものであればよい。サービスは、例えば、インターネットショッピング、オンライントレード、電子メール及びＳＮＳ（Social  Networking  Service）などが挙げられるが、これらに限定されるものではない。なお、図１に示す例では、管理サーバを１台例示しているが、これに限定されるものではなく、何台であってもよい。
【００１６】
ＮＡ１０は、インターネット１０７を介してサービスを提供するウェブサイトなどにアクセスする端末である。本実施形態では、ＮＡ１０は、ＰＣ（Personal  Computer）を想定しているが、これに限定されるものではなく、インターネットにアクセス可能な装置であればよい。例えば、スマートフォンやタブレットなど携帯型の端末をＮＡ１０としてもよい。また本実施形態では、ユーザＵがＮＡ１０を所有しており、ユーザＵがＮＡ１０を使用する場合を想定してＮＡ１０（処理システム１）について説明する。
【００１７】
ＮＡ１０は、図１に示すように、入力部１２と、ＧＰＳ（Global  Positioning  System）受信部１３と、通信部１５と、撮像部１６と、記憶部１７と、表示部１９と、制御部２０とを、備える。
【００１８】
入力部１２は、ユーザＵが各種入力を行うものであり、キーボード、マウス、タッチパッド、及びタッチパネルなどの入力装置により実現できる。また、マイクロフォンなどの集音器により入力部１２を実現してもよい。
【００１９】
ＧＰＳ受信部１３は、ＧＰＳ衛星からの電波を受信するものであり、ＧＰＳ受信機などにより実現できる。
【００２０】
通信部１５は、インターネット１０７を介して管理サーバ１０１などの外部機器と通信するものであり、ＮＩＣ（Network  Interface  Card）などの通信装置により実現できる。
【００２１】
撮像部１６は、デジタルカメラなどの撮像装置により実現できる。
【００２２】
記憶部１７は、ＮＡ１０で実行される各種プログラムやＮＡ１０で行われる各種処理に使用されるデータなどを記憶する。記憶部１７は、例えば、ＨＤＤ（Hard  Disk  Drive）、ＳＳＤ（Solid  State  Drive）、メモリカード、光ディスク、ＲＯＭ（Read  Only  Memory）、及びＲＡＭ（Random  Access  Memory）などの磁気的、光学的、又は電気的に記憶可能な記憶装置により実現できる。
【００２３】
表示部１９は、制御部２０の処理結果を表示するものであり、液晶ディスプレイやタッチパネル式ディスプレイなどの表示装置により実現できる。
【００２４】
制御部２０は、ＮＡ１０の各部を制御するものであり、認識部２２と、検索部２５と、表示制御部３３とを、含む。認識部２２、検索部２５、及び表示制御部３３は、例えば、ＣＰＵ（Central  Processing  Unit）などの処理装置にプログラムを実行させること、即ち、ソフトウェアにより実現してもよいし、ＩＣ（Integrated  Circuit）などのハードウェアにより実現してもよいし、ソフトウェア及びハードウェアを併用して実現してもよい。
【００２５】
認識部２２は、外部に提供されるユーザＵの個人情報を認識し、記憶部１７に記憶する。具体的には、認識部２２は、インターネット１０７を介して提供されるサービスに、ユーザＵがＮＡ１０を用いて提供する個人情報を認識するものとするが、認識対象の個人情報はこれに限定されるものではない。例えば、ユーザＵが個人情報を手書きで外部に提供する場合には、撮像部１６で撮像された手書きの個人情報を認識部２２が認識してもよい。また例えば、ユーザＵが個人情報を発声して外部に提供する場合には、集音器により実現された入力部１２に入力された音声の個人情報を認識部２２が認識してもよい。
【００２６】
個人情報は、外部に提供した個人に関する情報であればどのようなものでもよく、例えば、氏名、性別、生年月日、郵便番号、住所、年齢、身長、体重、住民票コード、携帯電話番号、職業、勤務場所、年収、家族構成、写真、指紋などの生体情報、クレジットカード情報、メールアドレス、ＩＰアドレス、リモートホスト、利用したＷｅｂサービス、閲覧したＷｅｂページ、検索したキーワード、送受信したメールの内容、利用した時間帯、携帯端末の個体識別情報、購入品、及び利用環境などが挙げられる。
【００２７】
本実施形態では、認識部２２は、ユーザＵの個人情報として、個人情報を提供するサービスのサービス名、当該サービスに提供した提供内容、及び当該提供内容を提供した日時を認識する。提供内容としては、例えば、氏名、住所、クレジットカード情報、購入品、メールの内容、及び端末情報などが挙げられるが、これに限定されるものではない。
【００２８】
外部に提供する個人情報の認識手法は公知であるため、ここでは、詳細な説明は省略するが、例えば、サービス名の認識は、特開２００８−２９９５５６号公報に開示された方法を用いることができ、提供内容は、提供内容を入力するＷｅｂページや入力部１２から入力された入力内容を解析することで認識でき、端末情報は、ＧＰＳ受信部１３により受信されたＧＰＳ衛星からの電波に基づく位置に存在するＮＡのＩＤとすればよい。
【００２９】
例えば、ユーザＵが、サービス名「Ａ」のインターネットショッピングを提供するショッピングサイトにＮＡ１０からアクセスし、氏名、住所、クレジットカード情報を入力し、購入品として商品Ｘ、商品Ｙを購入し、購入品確認のメールがショッピングサイトからサービス名Ｇのメールサービスを通じてユーザＵに送られたとする。この場合、認識部２２は、ショッピングサイトＡに提供したユーザＵの個人情報を図２に示すような形式で認識し、記憶部１７に記憶させる。なお、購入品確認のメール内容は、ユーザＵが直接サービス名Ｇのメールサービスに提供したわけではないが、ユーザＵがサービス名「Ａ」のインターネットショッピングを利用したことに起因してサービス名「Ｇ」のメールサービスに提供されたものであり、ユーザＵが間接的に提供したものであるため、記憶部１７に記憶される。
【００３０】
検索部２５は、入力部１２から検索ワードの入力を受け付け、記憶部１７に記憶されている個人情報の中から、検索ワードに基づく個人情報を検索する。
【００３１】
具体的には、検索部２５は、検索ワードとしてサービス名の入力を受け付けた場合には、当該サービス名に対応する提供内容を記憶部１７から検索する。例えば、記憶部１７に図２に示す個人情報が記憶されており、検索部２５が、検索ワードとしてサービス名「Ａ」の入力を受け付けたとする。この場合、検索部２５は、記憶部１７からサービス名「Ａ」に対応付けられた氏名「Ｒ太郎」、住所「神奈川県横浜市…」、クレジットカード情報「１１１１−２２２２−３３３３−４４４４」、及び購入品「商品Ｘ」、「商品Ｙ」を検索し、取得する。
【００３２】
また検索部２５は、検索ワードとして提供内容の入力を受け付けた場合には、当該提供内容に対応するサービス名を記憶部１７から検索する。例えば、記憶部１７に図２に示す個人情報が記憶されており、検索部２５が、検索ワードとして住所「神奈川県横浜市…」の入力を受け付けたとする。この場合、検索部２５は、記憶部１７から住所「神奈川県横浜市…」に対応付けられたサービス名「Ａ」を検索し、取得する。
【００３３】
なお、検索部２５は、検索ワードとして更に検索対象期間の入力を受け付け、当該検索対象期間内の日時の個人情報を検索するようにしてもよい。
【００３４】
表示制御部３３は、検索部２５により検索された個人情報を表示部１９に表示させる。具体的には、表示制御部３３は、検索部２５により検索された提供内容やサービス名を表示部１９に表示させる。
【００３５】
図３は、本実施形態の表示画面の一例を示す図である。図３に示す例では、検索部２５により記憶部１７からサービス名「Ａ」に対応付けられた氏名「Ｒ太郎」、住所「神奈川県横浜市…」、クレジットカード情報「１１１１−２２２２−３３３３−４４４４」、及び購入品「商品Ｘ」、「商品Ｙ」が検索された場合の画面例を示している。
【００３６】
なお、ＮＡ１０は、上述した各部の全てを必須の構成とする必要はなく、その一部を省略した構成としてもよい。
【００３７】
次に、第１実施形態の処理システムの動作について説明する。
【００３８】
図４は、本実施形態のＮＡ１０で実行される履歴処理の一例を示すフローチャートである。
【００３９】
まず、ＮＡ１０は、ユーザＵからの入力部１２を介した操作入力に基づいて、インターネット１０７を介してサービスを提供するＷｅｂサイトにアクセスし、ユーザＵの個人情報を当該サービスに提供する（ステップＳ１０１）。
【００４０】
続いて、認識部２２は、サービスに提供されたユーザＵの個人情報を認識し、記憶部１７に記憶させる履歴処理を行う（ステップＳ１０３）。
【００４１】
図５は、本実施形態のＮＡ１０で実行される検索処理の一例を示すフローチャートである。
【００４２】
まず、検索部２５は、入力部１２から検索ワードの入力を受け付け、記憶部１７に記憶されている個人情報の中から、検索ワードに基づく個人情報を検索する（ステップＳ２０１）。
【００４３】
続いて、表示制御部３３は、検索部２５により検索された個人情報を表示部１９に表示させる（ステップＳ２０３）。
【００４４】
以上のように第１実施形態によれば、サービスに提供した個人情報、即ち、サービス側で管理されている個人情報を、ＮＡ側でも検索可能に履歴しているので、ユーザ側でも当該個人情報を管理することができる。
【００４５】
特に本実施形態によれば、ユーザは、サービス名を用いて個人情報を検索することで当該サービス名のサービスに提供した個人情報の提供内容が表示（可視化）されるので、複数のサービスに個人情報（提供内容）を提供している場合であっても、どのサービスにどのような個人情報（提供内容）を提供したかを容易に把握することができる。
【００４６】
また本実施形態によれば、ユーザは、個人情報の提供内容を用いて個人情報を検索することで当該提供内容を提供するサービスが表示（可視化）されるので、複数のサービスに個人情報（提供内容）を提供している場合であっても、特定の個人情報（提供内容）をどのサービスに提供したかを容易に把握することができる。
【００４７】
（第２実施形態）
第２実施形態では、個人情報を含む情報をアップロードする例について説明する。以下では、第１実施形態との相違点の説明を主に行い、第１実施形態と同様の機能を有する構成要素については、第１実施形態と同様の名称・符号を付し、その説明を省略する。
【００４８】
図６は、本実施形態の処理システム１００１の構成の一例を示すブロック図である。図６に示すように、第２実施形態の処理システム１００１では、確認部の一例としての検索サーバ１１０２を更に備える点、及びＮＡ１０１０の制御部１０２０が第１実施形態と相違する。なお第２実施形態では、管理サーバ１０１が、インターネット１０７を介してＳＮＳを提供するウェブサイトなどを管理するものであることを想定して説明する。
【００４９】
検索サーバ１１０２は、インターネット１０７を介してＮＡ１０１０と接続されている。検索サーバ１１０２は、Ｗｅｂ上で公開されている情報を検索することにより、当該情報がインターネット１０７上で公開されているか否かを確認するものであり、例えば、Ｗｅｂ上で検索エンジン機能を提供するものなどであればよい。具体的には、検索サーバ１１０２は、ＮＡ１０１０から検索クエリとして検索対象の個人情報を受信し、受信した個人情報をＷｅｂ上で検索することにより、当該個人情報がインターネット１０７上で公開されているか否かを確認し、確認結果をＮＡ１０１０に送信する。ここで、検索サーバ１１０２が検索する情報は、Ｗｅｂの動的ページ上で公開されている動的情報であっても、Ｗｅｂの静的ページ上で公開されている静的情報であってもよい。なお、図６に示す例では、検索サーバを１台例示しているが、これに限定されるものではなく、何台であってもよい。
【００５０】
制御部１０２０は、認識部１０２２と、確認要求部１０２６と、取得部１０２７と、表示制御部１０３３と、アップロード部１０３５とを、含む。認識部１０２２、確認要求部１０２６、取得部１０２７、表示制御部１０３３、及びアップロード部１０３５は、例えば、ＣＰＵなどの処理装置にプログラムを実行させること、即ち、ソフトウェアにより実現してもよいし、ＩＣなどのハードウェアにより実現してもよいし、ソフトウェア及びハードウェアを併用して実現してもよい。
【００５１】
認識部１０２２は、外部から入力された個人情報を認識する。具体的には、認識部１０２２は、撮像部１６により撮像された写真、通信部１５を介して受信した写真、又は図示せぬ外部記憶媒体から取得した写真などから、個人情報として被写体の顔を認識する。特に本実施形態では、ユーザＵ以外の被写体の顔を認識することを想定している。
【００５２】
確認要求部１０２６は、認識部１０２２で認識された個人情報が公開されているか否かの確認を要求する。具体的には、確認要求部１０２６は、認識部１０２２で認識された被写体の顔がインターネット１０７上で公開されているか否かの確認を検索サーバ１１０２に要求する。
【００５３】
取得部１０２７は、確認結果を取得する。具体的には、取得部１０２７は、検索サーバ１１０２から、認識部１０２２で認識された被写体の顔がインターネット１０７上で公開されているか否かの確認結果を取得する。
【００５４】
表示制御部１０３３は、取得部１０２７により取得された確認結果が、認識部１０２２で認識された個人情報（例えば、被写体の顔）がインターネット１０７上で公開されていないことを示す場合、その旨を表示部１９に表示させる。
【００５５】
アップロード部１０３５は、認識部１０２２で認識された個人情報を含む情報に対し、取得部１０２７により取得された確認結果に応じたアップロードを行う。具体的には、認識部１０２２で認識された被写体の顔がインターネット１０７上で公開されていないことを示す場合、アップロード部１０３５は、当該被写体の顔に秘匿処理を施した写真を管理サーバ１０１に送信し、被写体の顔を秘匿してＳＮＳにアップロードする。秘匿処理とは、秘匿対象を秘匿できればよく、例えば、秘匿対象にモザイクを施すことや、秘匿対象にスタンプを施すことなどが挙げられる。図７は、秘匿処理が施されてアップロードされた写真の一例を示す図である。図７に示す例では、ユーザ２００の顔にモザイクで秘匿処理が施されている。
【００５６】
そしてアップロード部１０３５は、顔を秘匿した被写体のユーザに秘匿を解除してもよいかの承認依頼を行い、承認されれば、アップロードされた写真から被写体の顔の秘匿を解除する。承認依頼は、電子メールで行ってもよいし、ＳＮＳのメッセージ機能などを用いて行ってもよい。図８は、秘匿処理が解除された写真の一例を示す図である。図８に示す例では、ユーザ２００の顔からモザイクが解除されている。
【００５７】
また、認識部１０２２で認識された被写体の顔がインターネット１０７上で公開されていないことを示す場合、アップロード部１０３５は、当該被写体の顔を含む写真をそのままＳＮＳにアップロードし、被写体のユーザに秘匿しなくてよいかの承認依頼を行い、承認されない場合にアップロードされた写真の被写体の顔に秘匿処理を施すようにしてもよい。
【００５８】
一方、認識部１０２２で認識された被写体の顔がインターネット１０７上で公開されていることを示す場合、アップロード部１０３５は、当該被写体の顔を含む写真を管理サーバ１０１に送信し、そのままＳＮＳにアップロードする。
【００５９】
図９は、本実施形態の処理システム１００１で実行される処理の一例を示すフローチャートである。
【００６０】
まず、認識部１０２２は、外部から入力された個人情報を認識する（ステップＳ３０１）。
【００６１】
続いて、確認要求部１０２６は、認識部１０２２で認識された個人情報がインターネット１０７上で公開されているか否かの確認を検索サーバ１１０２に要求する（ステップＳ３０３）。これにより、検索サーバ１１０２は、認識部１０２２で認識された個人情報がインターネット１０７上で公開されているか否かを確認する。
【００６２】
続いて、取得部１０２７は、検索サーバ１１０２から、認識部１０２２で認識された個人情報がインターネット１０７上で公開されているか否かの確認結果を取得する。そして、確認結果が、認識部１０２２で認識された個人情報がインターネット１０７上で公開されていないことを示す場合（ステップＳ３０５でＮｏ）、表示制御部１０３３は、その旨を表示部１９に表示させる（ステップＳ３０７）。
【００６３】
一方、確認結果が、認識部１０２２で認識された個人情報がインターネット１０７上で公開されていることを示す場合（ステップＳ３０５でＹｅｓ）、ステップＳ３０７の処理は行われない。
【００６４】
続いて、アップロード部１０３５は、認識部１０２２で認識された個人情報を含む情報に対し、取得部１０２７により取得された確認結果に応じたアップロードを行う（ステップＳ３０９）。
【００６５】
図１０は、本実施形態の処理システム１００１で実行されるアップロードの一例を示すフローチャートである。
【００６６】
まず、アップロード部１０３５は、認識部１０２２で認識された個人情報がインターネット１０７上で公開されている場合（ステップＳ４０１でＹｅｓ）、当該個人情報を含む情報をそのままＳＮＳにアップロードする（ステップＳ４０３）。
【００６７】
一方、アップロード部１０３５は、認識部１０２２で認識された個人情報がインターネット１０７上で公開されていない場合（ステップＳ４０１でＮｏ）、当該個人情報を秘匿してＳＮＳにアップロードする（ステップＳ４０５）。
【００６８】
続いて、アップロード部１０３５は、当該個人情報のユーザに秘匿を解除してもよいかの承認依頼を行う（ステップＳ４０７）。
【００６９】
そして、承認された場合（ステップＳ４０９でＹｅｓ）、アップロード部１０３５は、アップロードされた情報から個人情報の秘匿を解除する（ステップＳ４１１）。なお、承認されなかった場合（ステップＳ４０９でＮｏ）、ステップＳ４１１の処理は行われない。
【００７０】
図１１は、本実施形態の処理システム１００１で実行されるアップロードの他の例を示すフローチャートである。
【００７１】
まず、アップロード部１０３５は、認識部１０２２で認識された個人情報を含む情報をそのままＳＮＳにアップロードする（ステップＳ５０１）。なお、当該個人情報がインターネット１０７上で公開されている場合（ステップＳ５０３でＹｅｓ）、処理は終了となる。
【００７２】
一方、当該個人情報がインターネット１０７上で公開されていない場合（ステップＳ５０３でＮｏ）、アップロード部１０３５は、当該個人情報のユーザに秘匿しなくてよいかの承認依頼を行う（ステップＳ５０５）。なお、承認された場合（ステップＳ５０７でＹｅｓ）、処理は終了となる。
【００７３】
一方、承認されなかった場合（ステップＳ５０７でＮｏ）、アップロード部１０３５は、アップロードされた情報の個人情報を秘匿する（ステップＳ５０９）。
【００７４】
以上のように第２実施形態によれば、他人が自身の個人情報を含む情報をアップロードする場合であっても、自身の意にそぐわずに個人情報が公開されてしまうことを防止することができ、自身の意にそぐわない個人情報の流出を防止することができる。
【００７５】
（変形例）
なお、本発明は、上記各実施形態に限定されるものではなく、種々の変形が可能である。例えば、上記第１実施形態と上記第２実施形態とを組み合わせてもよい。
【００７６】
（変形例１）
上記第１実施形態では、ＮＡ１０が、記憶部１７を備える例について説明したが、記憶部１７をＮＡ１０の外部（例えば、クラウド上）に設けるようにしてもよい。
【００７７】
（変形例２）
上記第２実施形態では、個人情報として写真を例に取り説明したが、これに限定されるものではなく、氏名などであってもよい。例えば、他人の氏名を含む日記をブログなどにアップロードする場合にも、上記第２実施形態の手法を適用できる。この場合、氏名を伏字にするなどして秘匿処理を行えばよい。
【００７８】
（ハードウェア構成）
上記各実施形態及び変形例のＮＡ１０、１０１０のハードウェア構成の一例について説明する。上記各実施形態及び変形例のＮＡ１０、１０１０は、ＣＰＵなどの制御装置と、ＲＯＭやＲＡＭなどの記憶装置と、ＨＤＤなどの外部記憶装置と、ディスプレイなどの表示装置と、マイクロフォンなどの音声入力装置と、通信インタフェースなどの通信装置と、を備えており、通常のコンピュータを利用したハードウェア構成となっている。
【００７９】
上記各実施形態及び変形例のＮＡ１０、１０１０で実行されるプログラムは、インストール可能な形式又は実行可能な形式のファイルでＣＤ−ＲＯＭ、ＣＤ−Ｒ、メモリカード、ＤＶＤ（Digital  Versatile  Disk）、フレキシブルディスク（ＦＤ）等のコンピュータで読み取り可能な記憶媒体に記憶されて提供される。
【００８０】
また、上記各実施形態及び変形例のＮＡ１０、１０１０で実行されるプログラムを、インターネット等のネットワークに接続されたコンピュータ上に格納し、ネットワーク経由でダウンロードさせることにより提供するようにしてもよい。また、上記各実施形態及び変形例のＮＡ１０、１０１０で実行されるプログラムを、インターネット等のネットワーク経由で提供または配布するようにしてもよい。また、上記各実施形態及び変形例のＮＡ１０、１０１０で実行されるプログラムを、ＲＯＭ等に予め組み込んで提供するようにしてもよい。
【００８１】
上記各実施形態及び変形例のＮＡ１０、１０１０で実行されるプログラムは、上述した各部をコンピュータ上で実現させるためのモジュール構成となっている。実際のハードウェアとしては、ＣＰＵがＨＤＤからプログラムをＲＡＭ上に読み出して実行することにより、上記各部がコンピュータ上で実現されるようになっている。
【符号の説明】
【００８２】
１、１００１  処理システム
１０、１０１０  ＮＡ（ネットワークエージェント）
１２  入力部
１３  ＧＰＳ受信部
１５  通信部
１６  撮像部
１７  記憶部
１９  表示部
２０、１０２０  制御部
２２、１０２２  認識部
２５  検索部
３３、１０３３  表示制御部
１０１  管理サーバ
１０７  インターネット
１０２６  確認要求部
１０２７  取得部
１０３５  アップロード部
１１０２  検索サーバ
【先行技術文献】
【特許文献】
【００８３】
【特許文献１】特開２００８−２１７６５８号公報
【図１】
2013246497.tif 000003
【図２】
2013246497.tif 000004
【図３】
2013246497.tif 000005
【図４】
2013246497.tif 000006
【図５】
2013246497.tif 000007
【図６】
2013246497.tif 000008
【図９】
2013246497.tif 000009
【図１０】
2013246497.tif 000010
【図１１】
2013246497.tif 000011
【図７】
2013246497.tif 000012
【図８】
2013246497.tif 000013